(57)【要約】【課題】コンクリートの打設時にコンクリートの漏れ出しを防止する機能、及び梁と床構成部材との間の隙間を埋めるカバー機能を兼ね備えた床型枠材を提供する。【解決手段】床型枠材１は、梁２００の延び方向に沿って固定されて打設されるコンクリートの漏れを防ぐ防止部１０と、梁２００の延び方向に沿った側縁と、梁の側方に位置する床構成部材３００の側縁との間に形成された隙間Ｓを覆うカバー部と、を備える。【選択図】図２
2020090805.tif 000002
【特許請求の範囲】
【請求項１】
梁の延び方向に沿って固定され、打設されるコンクリートの漏れを防ぐ防止部と、
前記梁の延び方向に沿った側縁と、前記梁の側方に位置する床構成部材の側縁との間に形成された隙間を覆うカバー部と、
を備えることを特徴とする床型枠材。
【請求項２】
前記防止部は、
前記梁に固定される固定部と、
前記梁の延び方向に沿った前記カバー部とは反対側の前記固定部の一端部から立設した立設部と、
前記一端部とは反対側の前記固定部の他端部に一体に形成されて、前記床構成部材に架け渡される突出部と、
を有することを特徴とする請求項１に記載の床型枠材。
【請求項３】
前記防止部は、
前記梁に固定される固定部と、
前記梁の延び方向に沿った前記カバー部とは反対側の前記固定部の一端部から立設した立設部と、
を有し、
前記カバー部は、該カバー部の幅を調整する調整機構を有することを特徴とする請求項１に記載の床型枠材。
【請求項４】
前記調整機構は、
前記固定部の前記一端部とは反対側の他端部に一体に形成されて、前記床構成部材の側に突出した突出部と、
前記突出部と前記床構成部材との間に架け渡される架橋部と、
を有する
ことを特徴とする請求項３に記載の床型枠材。
【請求項５】
前記突出部は、突出側の端部に前記固定部の側に折り返された第１折返し部を有し、
前記架橋部は、前記突出部の側の端部に前記突出部とは反対の側に折り返された第２折返し部を有し、
前記第１折返し部は、前記第２折返し部に対して前記床構成部材の側で前記架橋部に接触し、
前記第２折返し部は、前記第１折返し部に対して前記固定部の側で前記突出部に接触している
ことを特徴とする請求項４に記載の床型枠材。
【請求項６】
前記固定部は、前記立設部と前記突出部との間で部分的に延在する、前記梁に面する側とは反対側に突出した第１凸部を有し、
前記立設部は、立ち上がり方向に部分的に延在しかつ前記固定部の側に突出した、前記第１凸部に接続されている第２凸部を有する
ことを特徴とする請求項５に記載の床型枠材。
【発明の詳細な説明】
【技術分野】
【０００１】
本発明は、床型枠材に関する。
【背景技術】
【０００２】
床構成部材であるデッキプレートの両端を梁に載せて施工対象床面に敷設した後に打設されるコンクリートの流出を防止する、コンクリート漏れ止め板として機能する床型枠材が知られている。コンクリート漏れ止め板は、梁に載せられる載置部と、載置部の一端部から垂直に立ち上がってコンクリートの漏出を防ぐ立設部と、を有する（例えば、特許文献１参照。）。
【０００３】
また、施工対象床面のデッキプレートの幅方向の梁スパンは、デッキプレートの幅に対して必ずしも整数倍になっていない。したがって、敷設したデッキプレートの一方の幅方向における端部と、梁との間には隙間が生じている。この隙間を塞ぐために、デッキプレートを切断して幅方向の寸法を短くした役物を敷設する、又は小さな隙間がある場合に板材を敷設する技術が知られている（例えば、特許文献２参照。）。
【先行技術文献】
【特許文献】
【０００４】
【特許文献１】実用新案登録第３２１６５６３号公報
【特許文献２】実開平７−２７９２９１号公報
【発明の概要】
【発明が解決しようとする課題】
【０００５】
ところで、同一の床面施工時であっても、コンクリート漏れ止め板と、デッキプレート、役物及び調整板は、別々に作成され、梁に設置する作業工程を分けて実施することが通常であり、床面施工時の作業性を改善する余地がある。
【０００６】
また、役物は、完成品としてのデッキプレートの一部を切断して製造している。切断された一部のデッキプレートは廃棄せざるを得ず、デッキプレートの歩留が極めて低くなる。そのため、デッキプレート製造において無駄となるコストを低減したいという要望があった。
【０００７】
そこで、本発明は、上記課題に鑑みてなされたものであり、コンクリートの打設時にコンクリートの漏れ出しを防止する機能、及び梁と床構成部材との間の隙間を覆う機能を兼ね備えかつ強度と剛性を向上させた床型枠材を提供することを目的とする。
【課題を解決するための手段】
【０００８】
上記課題を解決するために、本発明に係る床型枠材は、梁の延び方向に沿って固定され、打設されるコンクリートの漏れを防ぐ防止部と、前記梁の延び方向に沿った側縁と、前記梁の側方に位置する床構成部材の側縁との間に形成された隙間を覆うカバー部と、を備えることを特徴とする。
【０００９】
また、前記防止部は、前記梁に固定される固定部と、前記梁の延び方向に沿った前記カバー部とは反対側の前記固定部の一端部から立設した立設部と、前記一端部とは反対側の前記固定部の他端部に一体に形成されて、前記床構成部材に架け渡される突出部と、を有していてもよい。
【００１０】
また、前記防止部は、前記梁に固定される固定部と、前記梁の延び方向に沿った前記カバー部とは反対側の前記固定部の一端部から立設した立設部と、を有し、前記カバー部は、該カバー部の幅を調整する調整機構を有していてもよい。
【００１１】
また、前記調整機構は、前記固定部の前記一端部とは反対側の他端部に一体に形成されて、前記床構成部材の側に突出した突出部と、前記突出部と前記床構成部材との間に架け渡される架橋部と、を有していてもよい。
【００１２】
また、前記突出部は、突出側の端部に前記固定部の側に折り返された第１折返し部を有し、前記架橋部は、前記突出部の側の端部に前記突出部とは反対の側に折り返された第２折返し部を有し、前記第１折返し部は、前記第２折返し部に対して前記床構成部材の側で前記架橋部に接触し、前記第２折返し部は、前記第１折返し部に対して前記固定部の側で前記突出部に接触していてもよい。
【００１３】
また、前記固定部は、前記立設部と前記突出部との間で部分的に延在する、前記梁に面する側とは反対側に突出した第１凸部を有し、前記立設部は、立ち上がり方向に部分的に延在しかつ前記固定部の側に突出した、前記第１凸部に接続されている第２凸部を有していてもよい。
【発明の効果】
【００１４】
本発明により、コンクリート床の打設時のコンクリートの漏れを止める作業及び梁と床構成部材との間の隙間を埋める作業を同時に行うことができ、作業性の向上及び作業コストの改善を達成することができる。
【図面の簡単な説明】
【００１５】
【図１】梁にデッキプレート及び本実施の形態に係る床型枠材を敷設した状態を示す概略的な斜視図である。
【図２】デッキプレートの延び方向に交差して床型枠材を断面にした図である。
【図３】コンクリート止め材の構成を説明するための斜視図である。
【図４】調整板の構成を説明するための斜視図である。
【図５】従来の床面施工技術を示す概略図である。
【図６】連結材を備えた床型枠材を示す図である。
【図７】床型枠材を連結材の一端部を拡大した部分拡大斜視図である。
【図８】床型枠材を連結材の他端部を拡大した部分拡大斜視図である。
【発明を実施するための形態】
【００１６】
本発明の好ましい実施の形態について、図面を参照しながら説明する。なお、以下に示す実施の形態は一つの例示であり、本発明の範囲において種々の形態をとりうる。
【００１７】
図１は、梁２００にデッキプレート３００及び本実施の形態に係る床型枠材１を敷設した状態を示す概略的な斜視図であり、デッキプレート３００の延び方向に交差する方向において断面にして示す。本実施の形態に係る床型枠材１は、建築構造物の床面施工時に用いられる。建築構造物の躯体は、複数の柱１００と、複数の梁２００と、を備える。各柱１００は、基礎に立設される。柱１００は、例えば、鋼製で中空状の角柱から形成されている。各梁２００は、柱１００に対して直交する方向、すなわち、基礎に対して平行な方向に柱１００に架け渡される。梁２００は、例えば、鋼製のＨ形鋼から形成されている。梁２００は、フランジ２１０の面が基礎に対して平行な方向となるように配置され、柱１００に連結されている。対向する梁２００の間には、デッキプレート（床構成部材）３００が架け渡されている。
【００１８】
なお、柱１００が延びる方向を「高さ方向Ｈ」とし、デッキプレート３００が延びる方向を「長手方向Ｌ」とし、デッキプレート３００が敷き詰められる方向を「幅方向Ｗ」とする。また、長手方向Ｌに沿って延びる梁を「梁２００Ｌ」とし、幅方向Ｗに沿って延びる梁を「梁２００Ｗ」ともいう。
【００１９】
デッキプレート３００は、平面視矩形状の薄い鋼板から形成されている。デッキプレート３００は、２つの主面３１０，３２０を有している。主面３１０は、コンクリートが打設される側の表面であり、主面３２０は、主面３１０が面する側とは反対側に面する裏面である。デッキプレート３００は、複数のリブ３３０を有する。各リブ３３０は、幅方向Ｗに所定の間隔をあけて互いに平行に設けられており、長手方向Ｌに連続して延びている。リブ３３０は、デッキプレート３００を梁２００Ｗの上面に載置したときにフランジ２１０の上面に対向する面、つまり主面３２０の側に設けられている。
【００２０】
各リブ３３０は、デッキプレート３００を形成する１枚の鋼板が複数の箇所で折り曲げられることにより形成されている。長手方向Ｌにおけるリブ３３０の両端部は、高さ方向Ｈに押し潰されており、梁２００Ｗのフランジ２１０の上面に載置できるように形成されている。
【００２１】
梁２００Ｗの間において幅方向Ｗにデッキプレート３００を敷き詰めた場合、幅方向Ｗにおいて一方の梁２００Ｌとデッキプレート３００との間に隙間Ｓ（図２参照。）が生じることがある。本実施の形態に係る床型枠材１は、床面施工現場において梁２００Ｌと、デッキプレート３００との間に生じた隙間Ｓに設置される。床型枠材１は、コンクリート止め材（防止部）１０と、調整板２０と、を有する。床型枠材１は、長手方向Ｌに延びる梁２００Ｌに沿って設けられている。
【００２２】
図２は、デッキプレート３００の延び方向に交差して床型枠材１を断面にした図であり、図３は、コンクリート止め材１０の構成を説明するための斜視図であり、図４は、調整板２０の構成を説明するための斜視図である。コンクリート止め材１０は、梁２００Ｌの延び方向に沿って固定され、打設されるコンクリートの、幅方向Ｗにおける漏れを防ぐ。コンクリート止め材１０は、デッキプレート３００と梁２００Ｌとの間に隙間Ｓが生じている側に設けられている。
【００２３】
コンクリート止め材１０は、断面視略Ｌ字状に形成されている。コンクリート止め材１０は鋼板により形成されている。コンクリート止め材１０においては、コンクリートが打設される面を表面１０ａとし、表面１０ａとは反対の側を向く面を裏面１０ｂとする。コンクリート止め材１０は、固定部１１と、突出部１２と、立設部１３と、を有する。固定部１１と、突出部１２と、立設部１３とは、互いに一体に形成されている。
【００２４】
固定部１１は、梁２００Ｌのフランジ２１０の上面に、長手方向Ｌにおいて柱１００の間に亘ってかつフランジ２１０の幅方向Ｗに亘って裏面１０ｂの側で載置されている。固定部１１は、梁２００Ｌのフランジ２１０に対して溶接により固定される。固定部１１は、幅方向Ｗにおいて２箇所でかつ長手方向Ｌにおいて複数箇所で梁２００Ｌのフランジ２１０に対して溶接されている。幅方向Ｗにおける２つの溶接箇所１１ｃは互いに所定の間隔をあけている。各溶接箇所１１ｃは、幅方向Ｗにおけるフランジ２１０の各端部付近に設けられている。
【００２５】
突出部１２は、幅方向Ｗにおいて梁２００Ｌのフランジ２１０から突出した固定部１１の延長部分である。突出部１２は、固定部１１に対して梁２００Ｌ上で延び方向（長手方向Ｌ）に沿って延びる固定部１１の一方の側縁部に一体に形成されている。なお、固定部１１及び突出部１２には構造上の明確な区別はなく、固定部１１及び突出部１２それぞれの機能によって区別される。ここでは、梁２００Ｌのフランジ２１０に載っている部分（溶接による固定に提供された部分）を固定部１１とし、フランジ２１０から突出している部分を突出部１２とする。
【００２６】
突出部１２は、固定部１１から調整板２０に向かって略水平方向に延びている。フランジ２１０からの突出部１２の突出量は、本実施の形態においては、デッキプレート３００に届かない程度となっている。突出部１２は、固定部１１とは反対の側の先端部に折返し部１４を有する。折返し部１４は、起立部位１５と、返し部位１６と、を有する。
【００２７】
起立部位１５は、突出部１２の先端部が固定部１１の表面１０ａが面する側に略垂直（鉛直方向）に折り曲げられて起立している。返し部位１６は、突出部１２とは反対側の起立部位１５の先端部において、略垂直に固定部１１の側に折り曲げられて延びている。この状態において返し部位１６は、裏面１０ｂにおいて後述する調整板２０と面接触する。
【００２８】
立設部１３は、梁２００Ｌの延び方向に沿った固定部１１の他方の側縁部から立設して、幅方向Ｗにおいてコンクリートが漏れ出ることを防ぐ。立設部１３は、固定部１１における表面１０ａが面する側に向かって延びている（立設している）。なお、長手方向Ｌにおけるコンクリートの漏れ及び幅方向Ｗにおけるデッキプレート３００を敷き始める梁２００Ｌにおけるコンクリートの漏れは、別のコンクリート止め材（図示せず。）によって防がれる。
【００２９】
コンクリート止め材１０は、さらに凸部１７を有する。凸部１７は、固定部１１及び立設部１３に亘って形成されている。凸部１７は、固定部１１に形成された第１凸部１１ｄと、立設部１３に形成された第２凸部１３ａと、を有する。
【００３０】
第１凸部１１ｄは、エンボス加工により、固定部１１において裏面１０ｂの側から表面１０ａに向かって凸に形成された部分である。第１凸部１１ｄは、固定部１１において立設部１３が設けられた側縁部から突出部１２に向かって幅方向Ｗに延びている。第２凸部１３ａは、エンボス加工により、立設部１３において裏面１０ｂの側から表面１０ａに向かって凸に形成されている。第２凸部１３ａは、立設部１３の固定部１１の側の端部から反対側の端部に向かって高さ方向Ｈに延びている。第１凸部１１ｄ及び第２凸部１３ａは、固定部１１と立設部１３との移行部において互いに接続している。
【００３１】
調整板２０は、鋼板により形成されている。調整板２０は、幅方向Ｗにおいてコンクリート止め材１０及びデッキプレート３００に架け渡され、コンクリート止め材１０とデッキプレート３００との間の隙間Ｓを塞ぐ。なお「隙間Ｓ」とは、リブ３３０より床型枠材１の側にあるデッキプレート３００の部分は、設計上、荷重を受けることができない部分となっているため、梁２００Ｌの側縁から複数のリブ３３０のうち最も梁２００Ｌの近くに位置するリブ３３０の中心までのことをいう。また、「隙間Ｓ」は、コンクリート止め材１０とデッキプレート３００との間の実際の空隙のみを意味してもよい。
調整板２０は、長手方向Ｌにおける各端部が梁２００Ｗにそれぞれ載置されている。調整板２０は、係止部２１と、架橋部２２と、を有する。係止部２１と、架橋部２２とは、互いに一体に形成されている。
【００３２】
調整板２０において係止部２１は、幅方向Ｗにおいてデッキプレート３００に載せられる側の端部に設けられている。係止部２１は、調整板２０のコンクリートが打設される側の表面２０ａとは反対の側の裏面２０ｂの側に向かって端部が折り曲げられることにより形成されている。係止部２１は、デッキプレート３００のリブ３３０において、デッキプレート３００の鋼板同士が接触し合う接触部分３４０の間に挿入される。
なお、調整板２０は、係止部２１を有さずに、デッキプレート３００の側の端部をデッキプレート３００に重ねるだけでもよい。
【００３３】
架橋部２２は、第１面部２３と、第２面部２４と、変向部２５と、折返し部２６と、を有する。本実施の形態において、第１面部２３は、幅方向Ｗにおいて第２面部２４よりも短く形成されている。なお、第１面部２３は、幅方向Ｗにおいて第２面部２４よりも長く形成されていてもよく、また、第１面部２３及び第２面部２４の幅方向Ｗにおける寸法は同じに形成されていてもよい。架橋部２２の第１面部２３は、幅方向Ｗにコンクリート止め材１０に向かって係止部２１から延びている。第１面部２３は、裏面２０ｂにおいてデッキプレート３００の主面３１０に載置されている。
【００３４】
変向部２５は、幅方向Ｗにおいて係止部２１とは反対側の第１面部２３の端部に設けられている。変向部２５は、高さ方向Ｈにおいて表面２０ａが面する側に、つまり、係止部２１とは反対の側に延びる。幅方向Ｗにおいて、変向部２５は、デッキプレート３００とコンクリート止め材１０の折返し部１４との間に位置するようになっている。変向部２５の延び量は、コンクリート止め材１０の折返し部１４の起立部位１５の起立量に基づいて決定される。
【００３５】
第２面部２４は、変向部２５の第１面部２３とは反対側の端部からコンクリート止め材１０に向かって、つまり、係止部２１及び第１面部２３とは反対側に向かって延びている。第２面部２４は、コンクリート止め材１０の折返し部１４を突出部１２の側に超えて延びている。
【００３６】
折返し部２６は、幅方向Ｗにおいて係止部２１とは反対側の第２面部２４の端部に設けられている。折返し部２６は、起立部位２７と、返し部位２８と、を有する。起立部位２７は、第２面部２４の端部において調整板２０の裏面２０ｂの側に略垂直（鉛直方向）に折り曲げられている。返し部位２８は、第２面部２４とは反対側の起立部位２７の端部において、第１面部２３及び変向部２５の側に折り曲げられて延びている。返し部位２８は、調整板２０の表面２０ａにおいてコンクリート止め材１０と面接触する。
【００３７】
次に、床型枠材１の設置工程について説明する。施工対象床面の幅方向Ｗにデッキプレート３００を敷設していった場合、梁２００Ｌとデッキプレート３００の側縁との間に、１枚のデッキプレート３００の幅方向Ｗにおける寸法よりも小さい隙間Ｓが生じることがある。
【００３８】
図５は、従来の床施工技術を示す概略図である。従来技術においては隙間Ｓを塞ぐために、デッキプレート３００を一定の幅に切断した役物５００及び平板６００が用いられていた。役物５００は、梁２００Ｗ間に架け渡され、幅方向Ｗに沿った両端部において梁２００Ｗに溶接されていると共に、長手方向Ｌに沿った一端部においてデッキプレート３００に溶接されている。平板６００は、役物５００の長手方向Ｌにおける他端部と梁２００Ｌとの間に架け渡されてそれぞれに溶接されていた（溶接箇所は破線により示す。）。なお、デッキプレート３００及び役物５００にはリブ３３０が設けられているため、隙間Ｓをデッキプレート３００及び役物５００だけでは塞ぐことができず、平板６００を架け渡して塞ぐ隙間が必ず生じていた。
【００３９】
従来、隙間Ｓを塞ぐ作業とは別に、打設するコンクリートの漏れを防ぐために、コンクリート止め材４００を梁２００Ｌに設置する必要があった。コンクリート止め材４００は、幅方向Ｗにおいてフランジ２１０より短い固定部４１０で梁２００Ｌに溶接されていた。また、コンクリート止め材４００と梁２００Ｌとの連結を強固にするために、コンクリート止め材４００の立設部４２０とフランジ２１０とを正面視略Ｚ状等の鉄筋４３０を溶接して連結していた。
【００４０】
これに対して上記の床型枠材１は、コンクリートの漏れを防止する機能と、隙間Ｓを塞ぐ機能を兼ね備えている。まず、コンクリート止め材１０を梁２００Ｌに設置する。コンクリート止め材１０を固定部１１において、長手方向Ｌに沿って２列、幅方向Ｗにおいてフランジ２１０の端部付近で梁２００Ｌのフランジ２１０に溶接する。
【００４１】
次いで、調整板２０をコンクリート止め材１０とデッキプレート３００との間に架け渡す。調整板２０の係止部２１を、デッキプレート３００の接触部分３４０に差し込みつつ、調整板２０の折返し部２６を、コンクリート止め材１０の突出部１２における平坦部分に載せる。調整板２０の返し部位２８は、突出部１２においてコンクリート止め材１０の表面１０ａの側から面接触している。また、コンクリート止め材１０の返し部位１６は、調整板２０における第２面部２４において裏面２０ｂの側から面接触している。
【００４２】
以上のような床型枠材１によれば、隙間Ｓを塞ぐと同時に、梁２００Ｌにおけるコンクリートの漏出を防ぐこともできる。つまり、床型枠材１により、隙間Ｓを塞ぐ作業と同時に、少なくとも梁２００Ｌの長手方向Ｌに沿ってコンクリートの漏出を防ぐ作業を行うこともできる。床型枠材１により、従来技術において必要になっていたデッキプレート３００を加工した役物５００は必要なくなり、デッキプレート３００の歩留まりが大幅に向上し、無駄なコストを削減することができる。
【００４３】
本実施の形態に係る床型枠材１において、梁２００Ｌの延び方向に沿った側縁と、梁２００Ｌの側方に位置するデッキプレート３００の側縁との間に形成された隙間Ｓを覆うカバー部は、カバー部としてのコンクリート止め材１０の突出部１２と、カバー部としての調整板２０の架橋部２２と、を有している。突出部１２と架橋部２２とは、幅方向Ｗにおいて互いに重なる重なり領域Ｏを互いに有している。重なり領域Ｏは、コンクリート止め材１０の突出部１２と、調整板２０の第２面部２４とが重なることにより形成されている。床型枠材１においては、突出部１２及び架橋部２２の重なり領域Ｏが隙間Ｓに位置するようになっている。重なり領域Ｏによりコンクリート止め材１０の突出部１２及び調整板２０の架橋部２２は、カバー部の幅方向Ｗにおける幅を調整する調整機構として機能する。隙間Ｓが小さければ、重なり領域Ｏは大きくなり、隙間Ｓが大きければ重なり領域Ｏは小さくなる。床施工現場によって隙間Ｓの幅方向Ｗにおける寸法は異なる。重なり領域Ｏを確保した床型枠材１によれば、床面施工現場によって異なる隙間Ｓに柔軟に対応することができる。
【００４４】
また、折返し部１４は、架橋部２２の第２面部２４に接触し、折返し部２６は、突出部１２に接触している。より具体的には、コンクリート止め材１０は、折返し部１４の返し部位１６において、調整板２０の架橋部２２における第２面部２４の裏面２０ｂに面接触し、調整板２０は、折返し部２６の返し部位２８において、コンクリート止め材１０の突出部１２の表面１０ａに面接触している。このため、コンクリート打設時にコンクリート止め材１０と調整板２０との間からコンクリートが漏れ出ることを効果的に防ぐことができる。
【００４５】
また、床型枠材１は、梁２００Ｌから幅方向Ｗにおいて突出する突出部１２を有しているので、幅方向Ｗにおける固定部１１の溶接箇所１１ｃは、幅方向Ｗにおける梁２００Ｌの幅を最大限に利用して設定することができる。つまり、梁２００Ｌに対するコンクリート止め材１０の支点間の間隔を従来技術よりも大きく確保することができ、梁２００Ｌにおけるコンクリート止め材１０の安定した設置状態が得られる。これにより、従来、コンクリート止め材４００と梁２００Ｌとを連結していた鉄筋４３０を省略することができる。床型枠材１の設置に際しての溶接作業が必要となる箇所は、従来技術に比べて大幅に減らすことができ、床面施工現場における施工工期を短縮することができる。
【００４６】
また、コンクリート止め材１０の折返し部１４及び調整板２０の折返し部２６は、それぞれ隙間Ｓ上に位置しているため、隙間Ｓにおいて床型枠材１における断面積を増やすことができる。さらに、折返し部１４，２６のそれぞれ鉛直方向に延びる起立部位１５，２７は、鉛直方向からかかる荷重に強く、床型枠材１は隙間Ｓにおける荷重を支えることができる。床型枠材１においては、コンクリート止め材１０及び調整板２０において荷重に対する強度を向上させてあるため、コンクリート打設作業の安全性が向上する。
【００４７】
また、コンクリート止め材１０は、固定部１１及び立設部１３に連続した凸部１７が形成されているので、コンクリート止め材１０の剛性が高まり、コンクリート打設時に立設部１３が外側に倒れることを防ぐことができる。
【００４８】
また、係止部２１により、調整板２０は、係止部２１をデッキプレート３００の接触部分３４０に差し込み、架橋部２２をコンクリート止め材１０の突出部１２に載せるだけでよく、調整板２０に対する溶接作業を省くことができる。
【００４９】
また、床型枠材１において調整板２０は、架橋部２２において隙間Ｓを全幅に亘って塞ぐのではなく、コンクリート止め材１０の突出部１２とデッキプレート３００との間で隙間Ｓを塞ぐだけでよい。これにより、調整板２０が隙間Ｓを全幅に亘って塞ぐ場合に比べて、調整板２０の幅方向における支点（デッキプレート３００における支点とコンクリート止め材１０における支点）の間隔を短くすることができる。
【００５０】
＜その他＞
以上、本発明の好適な実施の形態について説明したが、本発明は上記の実施の形態に限定されるものではなく、本発明の概念及び特許請求の範囲に含まれるあらゆる態様を含む。また、上述した課題及び効果の少なくとも一部を奏するように、各構成を適宜選択的に組み合わせてもよい。また、例えば、上記実施の形態における各構成要素の形状、材料、配置、サイズ等は、本発明の具体的使用態様によって適宜変更され得る。上記の実施の形態における床型枠材１においては、カバー部は、コンクリート止め材１０及び調整板２０により形成されていたが、コンクリート止め材１０の突出部１２がデッキプレート３００に届く場合には調整板２０を設けなくてもよい。つまり、カバー部は、隙間Ｓをコンクリート止め材１０のみによって塞いでもよい。
【００５１】
また、上記の実施の形態においては、高さ方向Ｈにおいて調整板２０をコンクリート止め材１０に載せていたが、コンクリート止め材１０を調整板２０に載せてもよい。この場合、コンクリート止め材１０の折返し部１４が裏面１０ｂの側に折り曲げられる一方で、調整板２０の変向部２５が裏面２０ｂの側に折り曲げられ、そして、調整板２０の折返し部２６が表面２０ａの側に折り曲げられている。
【００５２】
また、上記の実施の形態においては、凸部１７は、突条として連続して延びていたが、単に、凸を点在させて形成してもよい。
【００５３】
また、床型枠材１は、コンクリート止め材１０と調整板２０とを連結する複数の連結材３０を備えていてもよい。図６は、連結材３０を備えた床型枠材１を示す図であり、図７は、床型枠材１を連結材３０の一端部側から見た部分拡大斜視図であり、図８は、床型枠材１を連結材３０の他端部を拡大した部分拡大斜視図である。連結材（連結筋）３０は、鉄筋により形成されている。各連結材３０は、長手方向Ｌに沿って所定の間隔をあけて、コンクリート止め材１０から調整板２０に向けて斜めに設けられている。
【００５４】
連結材３０は、一端にねじ山３１が形成されていて、このねじ山にはナット３１Ｎが取り付けられている。連結材３０は、他端が一端側に折り曲げられた折曲げ端部３２を有する。連結材３０を備える床型枠材１の場合、コンクリート止め材１０の立設部１３には複数の切込み１３１が形成されている。切込み１３１に連結材３０はその一端の側で落とし込まれている。
【００５５】
切込み１３１は、長手方向Ｌにおいて互いに所定の間隔をあけて形成されている。切込み１３１は、固定部１１とは反対側の立設部１３の端部から、固定部１１の側に向かって形成されている。高さ方向Ｈに沿った切込み１３１の長さは、連結材３０が十分に入り込む（落とし込まれる）ように設計されており、高さ方向Ｈに交差する切込み１３１の幅は、ナット３０Ｎの径より小さくなるように設計されている。
【００５６】
さらに、調整板２０の変向部２５には複数の孔部２５１が形成されている。孔部２５１には、連結材３０の折曲げ端部３２の先端が挿通される。なお、折曲げ端部３２は、ナット３１Ｎの側に折り返されていたが、所定の角度に曲げられて変向部２５に引っ掛けるように形成されていてもよい。
【００５７】
連結材３０を設けることにより、コンクリートを打設した際、コンクリートの重みにより、連結材３０は、その一端の側（ねじ山３１の側）で立設部１３を調整板２０の側に引き込むと同時に、他端部（折曲げ端部３２）の側で調整板２０をコンクリート止め材１０の側へと斜め上方に引っ張り、調整板２０の落ち込みを防いでいる。これにより、床型枠材１全体の強度向上を期待することができ、コンクリート止め材１０及び調整板２０の材料厚さを薄くすることが可能になり、コストダウンを達成することができる。
【符号の説明】
【００５８】
１  床型枠材
１０  コンクリート止め材（防止部）
１１  固定部
１２  突出部
１３  立設部
１４  折返し部（第１折返し部）
１７  凸部
２０  調整板
２１  係止部
２２  架橋部
２３  第１面部
２４  第２面部
２６  折返し部（第２折返し部）
２００  梁
３００  デッキプレート（床構成部材）
Ｓ  隙間
【図１】
2020090805.tif 000003
【図２】
2020090805.tif 000004
【図３】
2020090805.tif 000005
【図４】
2020090805.tif 000006
【図５】
2020090805.tif 000007
【図６】
2020090805.tif 000008
【図７】
2020090805.tif 000009
【図８】
2020090805.tif 000010